(57)【要約】【課題】枕パッとの特徴は，軽量で、折りたたむことによって携帯ができ，旅先，出張先においても,いつでも、どこでも高さが調整できることから快適な睡眠ができる。【解決手段】  発明枕パッドは、（１）頭を優しく包み込み首の負担が軽減される。（２）中央部をドーナツ状でしかも両サイドをやや高くすることにより、仰向けでも横向きの寝方でも首に優しくセットしている。（３）中央部に向かってのくぼみは、首と頭の自然なカーブをキープすることから、圧迫感がなく、いびき肩こりの解消につながる。（４）枕と頭、首の部分に自然なカーブの隙間を全体に取り入れることにより理想のスタイルができる。（５）お手元の従来の枕にも枕パッドとして使用ができ健康的にも経済的にも効果がある。【選択図】  図２
2007167187.tif 000002
【特許請求の範囲】
【請求項１】
４段、３列から成る布製の枕パッドであり、分割された袋体に粒状珪藻土を入れ、１段目と４段目の袋体６つの厚さを約1.8ｃｍとし、２段目３段目の両端の袋体４つの厚さを約1.5ｃｍとし、中央の袋体２つの厚さを約1.0ｃｍとしたことを特徴とした軽量で折り畳むと携帯ができ旅先においても高さ調整ができ快適な睡眠ができる枕パッド。
【発明の詳細な説明】
【技術分野】
【０００１】
本発明は、快適な睡眠に欠かせない楽な睡眠姿勢で良質な眠りをとることが出来る枕の改良に関する発明である。
【背景技術】
【０００２】
頭を支える枕の高さは個人差があり理想の高さのデータによった枕でも快適さが異なり、その高さが重要なポイントになることから、パーツを12個とした。高温焼成をした珪藻土は枕の素材に最も適した天然素材であること。
睡眠時の保温、保湿性、消臭、空気の清浄効果があり、まさに人知をはるかに超えたメカニズムの天然素材を取り入れたことを特徴とする枕パッドである。
【発明の開示】
【発明が解決しようとする課題】
【０００３】
１．植物プランクトン化石の珪藻土は、超多孔質のメカニズムがあり、それを取り入れたこの発明は、快適睡眠状態を良好なものにする。  
２．従来の枕の理想な高さを、男性７〜８cm、女性５〜６cmとされたデータが発表されているが、個人による好みと習慣からも個人差があり、快適さが異なることから十分な眠りが取れない。
３．発明によって解決されるのは、高温焼成の珪藻土は、枕の素材として適している上質な自然素材である。通気性や放熱性にも優れ、適度な感触は枕の素材に適している。
快適な睡眠を目的とするキーワードは、枕パッドにすることにより、自分に合った好みの高さ、形状が自在を可能とすることにある。
快眠は枕の高さと素材が条件となり、寝ざめ後、肩がこる、頭が重い、これは枕の高さが自分に合っていないからである。
【課題を解決するための手段】
【０００４】
問題点を解決するための発明を図面で説明すると枕パッドの縦30cm、横50cmの全体に12パーツを取り入れる。全体の３隅に５cmのミシン掛けを入れると縦29.5cm×横49cm＝1,445.5cm2、1,445.5cm2÷12パーツ＝120.4cm2、１パーツを縦9.83cm×12.25cm＝120.4cm2、サイズ：30×50cm、表生地：綿100％（寝具生地）
12パーツをセンター部分から低高順列にする左右両サイドの高さ1.8cm、上下の高さ1.5cm、中央の高さ１cmにすることにより後頭部がささえられる。左右両サイドの高さは寝返り時のため少々高めにセットをしている。
（１）本発明の方法は珪藻土を一定の粒状に形成し、焼成することにより、粉塵発生防止となり、製品の安定を高め物理的に強度と重量が得ることができ、飛散することもなく、安全、衛生面においても約1,000度で焼成し、セラミック化することで問題は起こらない。
（２）直径２mm、長さ３mm程度の略均一粒状に形成した珪藻土を約1,000度で焼いた多孔質、セラミックの個々の粒が0.1ミクロンから60ミクロンの孔が連続している。その体積の約70％が微細な気孔で占められていることの特徴がある。本枕の素材についてセラミック化していることから頭圧、その他によって粉化することは、ほとんど生じない。
（３）高温（約1,000度）で焼くことにより素材面において、安全、その上衛生面でも問題はなく、しかも焼成しても細孔の目詰まりもなく、孔の中に更に孔があり、まさに人知を越えた天然素材の超微細、多孔を枕としての効能にすぐれたものがある。
（効能）
・吸湿性がよい。・放熱性がよい。・通気性がよい。・弾力性があり寝心地がよい。・汗を発散させ寝心地がよい。・防ダニ、抗菌、防カビ作用がある。・調湿、防湿、消臭効果がある。
（お手入れ方法）
吸湿性に富んでいることからこまめに日光乾燥をすることにより、快適にご利用いただくことができる。
（特色）
・両面使用ができる。
・通気性がよく衛生的。
・通年使用ができる。
・高さ調整が自在。
（構造）
・多孔湿の集合体素材を100％使用した。
・表生地は綿100％使用で寝具に適している。
・両面使用可能の為四季を通じて使用できる。
・パッドなので高さが調整できる。
・心地の良い頭寒効果がある。
睡眠時に保温性、保湿性が十分でないと、体内バランスが壊れ、体調不調、機能低下を招くおそれがある。自分に合った適正な枕こそ快適な睡眠が得られ、一日の疲れた身体も精神も癒すことができる。
【発明の効果】
【０００５】
本発明は、メッシュの整った粒状の頭圧バランスを視野に入れた枕パッドであり、寝ている間にパッドは、頭の形にしっくりなじみ、目ざめが悪い、肩こりがする、頭が思いを解消する。両面使える枕パッドの便利さと、従来使用の枕にパッド活用ができ、簡単にご使用でき健康的な生活必需品であり、しかも折り畳むと携帯ができ、いつでもどこでもいつもの枕として使用ができることから旅先、出張先においても快適な睡眠を取ることができる。
【発明を実施するための最良の形態】
【０００６】
快眠は枕の高さと素材が条件となる。
【実施例１】
【０００７】
図１は、表生地  綿100％を材料にした枕パッドの原形12面の合わせめをミシン掛けとする。
焼成珪藻土素材100％の断面から見た高さであり、枕パッド全面の断面図である。
【実施例２】
【０００８】
図２は、折り畳んだ枕パッドの使い方である。
【産業上の利用可能性】
【０００９】
この枕パッドは、衛生的で使いやすく、いつでもどこにでも携帯ができることから、コンパクトに折り畳み自分専用枕として使用できる、また12パーツを１つのパーツにし、素材を増すと高さの調整ができる。
常に安心ができ、安定した枕の追求をすると、世界中を視野に入れた窮極枕の開発は、メジャーなダイアタムを素材としたピロー・パッドになる。
珪藻土は、植物プランクトン（水中の藻）が１〜２千万年という年月かけて堆積し、化石化し、主成分は珪酸質で、その特長は、木炭の数千倍という超多孔質でしかも0.1〜0.2μ（1μ＝0.001cm）とうい微細孔をもっていると発表されている。軽さはかさ比重0.24気孔率90％、多孔性は、吸湿性、放温性に富み、消臭、空気清浄、ふとんからの断熱、保温効果があり、まさに人知をはるかに超えた、はかり知れないメカニズムを取り入れたのが本発明である。
【図面の簡単な説明】
【００１０】
【図１】枕パッドの実施方法を示した説明図である。（実施例１）
【図２】パーツの高さの断面図である。（実施例２）
【図３】パーツの断面図と平面図である.(実施例３)
【図４】折り畳んだ枕パッドの使い方を示した説明図である。（実施例４）  a．全面開いた状態  b．a図の右側を折り畳んだ状態  c．b図の左側を折り畳んだ状態  d．a図の下側を折り畳んだ状態  e．d図の右側を折り畳んだ状態  f．e図の左側を折り畳んだ状態  g．d図の上側を折り畳んだ状態  h．g図の右側を折り畳んだ状態  i．h図の左側を折り畳んだ状態  j．i図を折り畳んだ状態でもって携帯ができる  a〜jの状態で枕パッドの機能があることと、a〜jの状態で携帯が可能であることを特徴とする。
【符号の説明】
【００１１】
Ａ  パーツ
Ｂ  パーツ
Ｃ  パーツ
【図１】
2007167187.tif 000003
【図２】
2007167187.tif 000004
【図３】
2007167187.tif 000005
【図４】
2007167187.tif 000006